(57)【要約】【課題】Ｌ字型洗面化粧台と壁面との間に隙間を生じても、施工が簡便で、外観の見栄えを簡単に改善することのできるＬ字型洗面化粧台を提供する。【解決手段】壁面コーナー部の一方壁面２０側に配設するものであって、洗面カウンター１を上面に備えた洗面キャビネット２と、他方壁面２１側に配設するものであって、サイドカウンター３を上面に備えたサイドキャビネット４とを有するＬ字型洗面化粧台１０において、洗面カウンター１の他方壁面２０側の上面に、一方壁面２０と当接する箱体５を載置し、サイドカウンター３の端部が一方壁面２０と当接するように、箱体５の上面に、サイドカウンター３を延設したＬ字型洗面化粧台１０。【選択図】　図１
2004024436.tif 000002
【特許請求の範囲】
【請求項１】
壁面コーナー部の一方壁面側に配設するものであって、洗面カウンターを上面に備えた洗面キャビネットと、他方壁面側に配設するものであって、サイドカウンターを上面に備えたサイドキャビネットとを有するＬ字型洗面化粧台において、洗面カウンターの他方壁面側の上面に、一方壁面と当接する箱体を載置し、サイドカウンターの端部が一方壁面と当接するように、箱体の上面に、サイドカウンターを延設することを特徴とするＬ字型洗面化粧台。
【請求項２】
サイドカウンターの一方壁面側の上部に、一方壁面に当接するように棚を載置することを特徴とする請求項１記載のＬ字型洗面化粧台。
【請求項３】
洗面カウンターに載置する箱体の床面からの高さと、サイドキャビネットの床面からの高さとを、略同一にして、箱体の上面に、サイドカウンターを延設することを特徴とする請求項１又は請求項２記載のＬ字型洗面化粧台。
【請求項４】
箱体が、洗面カウンター側に取出し自在の収納箱であることを特徴とする請求項１乃至請求項３のいずれかに記載のＬ字型洗面化粧台。
【発明の詳細な説明】
【０００１】
【発明の属する技術分野】
本発明は、洗面化粧台に関し、詳述すれば、壁面のコーナー部に配設する、洗面キャビネットとサイドキャビネットとからなるＬ字型洗面化粧台に関するものである。
【０００２】
【従来の技術】
従来のＬ字型洗面化粧台は、図７に示すように、洗面ボール６や蛇口７を有する洗面カウンター１を上面に備えた洗面キャビネット２と、サイドカウンター３を上面に備えたサイドキャビネット４とを各々独立させて設けてＬ字型洗面化粧台１０としていた。このＬ字型洗面化粧台１０は、室内の壁面のコーナー部に、コーナー部を形成する２つの壁面２０、２１に沿って配設する。コーナー部を形成する２つの壁面２０、２１が、図８に示すように、直角に建っている場合には、Ｌ字型洗面化粧台１０とコーナー部を形成する壁面２０、２１との間に隙間を生じることはない。ところが、コーナー部を形成する２つの壁面２０、２１が直角に建っている場合は稀であり、そのため、例えば、図９（ａ）に示すように、コーナー部を形成する２つの壁面２０、２１が直角よりも、広角に建っている場合は、Ｌ字型洗面化粧台１０と壁面２１との間や、洗面キャビネット２の洗面カウンター１とサイドキャビネット４のサイドカウンター３との間に隙間ａ、ｂを生じる場合が殆どであった。また、図９（ｂ）のように、コーナー部を形成する２つの壁面２０、２１が直角よりも、狭角に建っている場合にも、隙間ａ′、ｂ′を生じる場合が殆どであった。
【０００３】
これを解決する方法として、例えば、特開２０００−２０１８４２号公報には、Ｌ字型洗面化粧台（設備機器）にサイドパネルや水切り板を組み合わせた構築構造とすることで、Ｌ字型洗面化粧台と壁面との間に生じる隙間を塞ぐことが提案されている。しかしながら、上記特開２０００−２０１８４２号公報におけるＬ字型洗面化粧台の構築構造では、隙間を塞ぐことはできるものの、その隙間を塞ぐための施行作業等が煩雑となるという問題があった。
【０００４】
【発明が解決しようとする課題】
本発明は上記の点に鑑みてなされたものであり、Ｌ字型洗面化粧台を設置する室内の壁面のコーナー部を形成する２つの壁面が直角に建っていない場合であって、Ｌ字型洗面化粧台と壁面との間に隙間を生じても、施工が簡便で、外観の見栄えを簡単に改善することのできるＬ字型洗面化粧台を提供することを目的とするものである。
【０００５】
【課題を解決するための手段】
請求項１に係る発明のＬ字型洗面化粧台は、壁面コーナー部の一方壁面側に配設するものであって、洗面カウンターを上面に備えた洗面キャビネットと、他方壁面側に配設するものであって、サイドカウンターを上面に備えたサイドキャビネットとを有するＬ字型洗面化粧台において、洗面カウンターの他方壁面側の上面に、一方壁面と当接する箱体を載置し、サイドカウンターの端部が一方壁面と当接するように、箱体の上面に、サイドカウンターを延設することを特徴とする。
【０００６】
これにより、Ｌ字型洗面化粧台と壁面との間に生じた隙間が、箱体とサイドカウンターに隠れてしまうため、Ｌ字型洗面化粧台と壁面との間に隙間を生じても、施工が簡便で、外観の見栄えを簡単に改善することのできるＬ字型洗面化粧台となる。
【０００７】
請求項２に係る発明のＬ字型洗面化粧台は、請求項１記載のＬ字型洗面化粧台において、サイドカウンターの一方壁面側の上部に、一方壁面に当接するように棚を載置することを特徴とする。
【０００８】
これにより、Ｌ字型洗面化粧台のサイドカウンターと壁面とに生じた隙間が、棚の底板に隠れてしまうため、外観の見栄えを、さらに、改善することのできるＬ字型他洗面化粧台となる。
【０００９】
請求項３に係る発明のＬ字型洗面化粧台は、請求項１又は請求項２記載のＬ字型洗面化粧台において、洗面カウンターに載置する箱体の床面からの高さと、サイドキャビネットの床面からの高さとを、略同一にして、箱体の上面に、サイドカウンターを延設することを特徴とする。
【００１０】
これにより、サイドカウンターが、床面に対し、より水平に形成されたＬ字型洗面化粧台となる。
【００１１】
請求項４に係る発明のＬ字型洗面化粧台は、請求項１乃至請求項３のいずれかに記載のＬ字型洗面化粧台において、箱体が、洗面カウンター側に取出し自在の収納箱であることを特徴とする。
【００１２】
これにより、利便性に優れたＬ字型洗面化粧台となる。
【００１３】
【発明の実施の形態】
以下、本発明の実施形態を図面に基づいて説明する。
【００１４】
図１は、本実施形態のＬ字型洗面化粧台１０を示す斜視図である。図１に示すように、洗面ボール６と蛇口７を有する洗面カウンター１を上面に備えた洗面キャビネット２が、壁面のコーナー部を形成する２つの壁面２０、２１のうち、一方壁面２０側に配設されている。上記洗面キャビネット２が備える洗面カウンター１の他方壁面２１側の上面には、一方壁面２０に当接するように箱体５が載置されている。また、他方壁面２１側には、サイドカウンター３を上面に備えたサイドキャビネット４を配設している。そして、サイドカウンター３の端部が一方壁面２０と当接するように、箱体５の上面に、サイドカウンター３を延設させている。
【００１５】
ここで、Ｌ字型洗面化粧台１０を設置する室内の壁面のコーナー部を形成する２つの壁面２０、２１が、直角に建っていない場合（ここでは、直角よりも広角に建っている場合）には、図２に示すように、Ｌ字型洗面化粧台１０と他方壁面２１との間には、隙間ａを生じることとなる。しかし、この隙間ａは、洗面キャビネット２が備える洗面カウンター１の他方壁面２１側の上面に載置した箱体５と、その載置した箱体５の上面に延設したサイドカウンター３によって隠れてしまうため、その結果、Ｌ字型洗面化粧台１０と他方壁面２１との間に隙間ａを生じても、外観に隙間ａが生じないので、施工が簡便で、外観の見栄えを簡単に改善することのできるＬ字型洗面化粧台１０とすることができる。
【００１６】
また、図３に示すように、サイドカウンターの一方壁面２０側の上部に、一方壁面２０に当接させて、サイドカウンター３の横幅と略等幅の棚８を載置することもできる。この棚８を設けることにより、図４に示すように、サイドカウンター３の一方壁面２０側の端辺と一方壁面２０との間に生じる隙間ｃは、この棚８の底面で隠れてしまうので、さらに外観の見栄えを改善したＬ字型洗面化粧台１０とすることができる。
【００１７】
なお、本実施形態においては、洗面キャビネット２が備える洗面カウンター１に載置した箱体５の上面に、サイドカウンター３が延設されるので、上述した従来技術のように、洗面カウンター１とサイドカウンター３との間に隙間ｂを生じることはない。そのため、外観が良好となる。
【００１８】
さらに、洗面キャビネット２が備える洗面カウンター１に載置する箱体５の床面２２からの高さと、サイドキャビネット４の床面２２からの高さとを、略同一にすることが好ましい。これにより、箱体５の上面に延設したサイドカウンター３を、床面２２に対し、より水平に形成することができる。
【００１９】
また、上記箱体５は、図５に示すように、洗面カウンター１側に取出し自在の収納箱とするのが、化粧品や石鹸やタオル等の小物の収納スペースを確保できて、利便性が向上するので、好ましい。具体的には、図５（ａ）に示すように、前面板５ａに取っ手５ｂを設けた引出し５ｃを、洗面カウンター１側に自在に引き出し可能とした、引出し式の収納箱であっても良いし、図５（ｂ）に示すように、箱体５の底板５ｄに、取っ手５ｂを設けた前面板５ａを蝶番５ｅで蝶着させ、洗面カウンター１側に自在に開閉可能とした、開き戸式の収納箱であっても良い。
【００２０】
なお、本実施形態においては、Ｌ字型洗面化粧台１０を設置する部屋の壁面のコーナー部を形成する２つの壁面２０、２１が、直角より広角になっている場合について説明したが、図６に示すように、Ｌ字型洗面化粧台１０を設置する室内の壁面のコーナー部を形成する２つの壁面２０、２１が、直角よりも狭角に建っている場合であっても、上記で詳細に説明した実施形態と同様に、施工が簡便で、外観の見栄えを簡単に改善することのできるＬ字型洗面化粧台１０とすることができる。
【００２１】
【発明の効果】
請求項１に係る発明のＬ字型洗面化粧台は、壁面コーナー部の一方壁面側に配設するものであって、洗面カウンターを上面に備えた洗面キャビネットと、他方壁面側に配設するものであって、サイドカウンターを上面に備えたサイドキャビネットとを有するＬ字型洗面化粧台において、洗面カウンターの他方壁面側の上面に、一方壁面と当接する箱体を載置し、サイドカウンターの端部が一方壁面と当接するように、箱体の上面に、サイドカウンターを延設しているので、Ｌ字型洗面化粧台と壁面との間に生じた隙間が、箱体とサイドカウンターに隠れてしまうため、Ｌ字型洗面化粧台と壁面との間に隙間を生じても、施工が簡便で、外観の見栄えを簡単に改善することのできるＬ字型洗面化粧台となる。
【００２２】
請求項２に係る発明のＬ字型洗面化粧台は、請求項１記載のＬ字型洗面化粧台において、サイドカウンターの一方壁面側の上部に、一方壁面に当接するように棚を載置するので、Ｌ字型洗面化粧台のサイドカウンターと壁面とに生じた隙間が、棚の底板に隠れてしまうため、外観の見栄えを、さらに、改善することのできるＬ字型他洗面化粧台となる。
【００２３】
請求項３に係る発明のＬ字型洗面化粧台は、請求項１又は請求項２記載のＬ字型洗面化粧台において、洗面カウンターに載置する箱体の床面からの高さと、サイドキャビネットの床面からの高さとを、略同一にして、箱体の上面に、サイドカウンターを延設しているので、サイドカウンターが、床面に対し、より水平に形成されたＬ字型洗面化粧台となる。
【００２４】
請求項４に係る発明のＬ字型洗面化粧台は、請求項１乃至請求項３のいずれかに記載のＬ字型洗面化粧台において、箱体が、洗面カウンター側に取出し自在の収納箱であるので、利便性に優れたＬ字型洗面化粧台となる。
【図面の簡単な説明】
【図１】本実施形態のＬ字型洗面化粧台を示す斜視図である。
【図２】本実施形態のＬ型洗面化粧台のコーナー部が直角より広角の場合における配置であって、（ａ）は、上方から見た平断面図、（ｂ）は、（ａ）のＡ−Ａ′断面図である。
【図３】本実施形態の棚を設けたＬ字型洗面化粧台を示す斜視図である。
【図４】本実施形態の棚を設けたＬ型洗面化粧台のコーナー部が直角より広角の場合における配置であって、（ａ）は、上方から見た平断面図、（ｂ）は、（ａ）のＢ−Ｂ′断面図である。
【図５】本実施形態の箱体であって、（ａ）は、引き出し式の収納箱の断面図、（ｂ）は、開き戸式の収納箱の断面図である。
【図６】本実施形態のＬ型洗面化粧台のコーナー部が直角より狭角の場合における配置であって、（ａ）は、上方から見た平断面図、（ｂ）は、（ａ）のＡ−Ａ′断面図である。
【図７】従来のＬ字型洗面化粧台を示す斜視図である。
【図８】従来のＬ型洗面化粧台のコーナー部が直角の場合における配置であって、上方から見た平断面図である。
【図９】従来のＬ型洗面化粧台の配置であって、（ａ）は、コーナー部が直角よりも広角の場合の平断面図であり、（ｂ）は、コーナー部が直角よりも狭角の場合の平断面図である。
【符号の説明】
１　　　　　洗面キャビネット
２　　　　　洗面カウンター
３　　　　　サイドキャビネット
４　　　　　サイドカウンター
５　　　　　箱体
６　　　　　棚
１０　　　　Ｌ型洗面化粧台
２０　　　　壁面（一方壁面）
２１　　　　壁面（他方壁面）
２２　　　　床面
【図１】
2004024436.tif 000003
【図２】
2004024436.tif 000004
【図３】
2004024436.tif 000005
【図４】
2004024436.tif 000006
【図５】
2004024436.tif 000007
【図６】
2004024436.tif 000008
【図７】
2004024436.tif 000009
【図８】
2004024436.tif 000010
【図９】
2004024436.tif 000011